(57)【要約】【課題】複数人に対し適切な行動を促すことが可能な電子機器を提供する。【解決手段】電子機器は、第１機器を有した第１ユーザと、第２機器を有した第２ユーザとが行う行動を特定する特定部と、前記第１、第２機器に記憶されている前記行動に関する履歴を取得する取得部と、前記取得部が取得した情報に基づき、前記行動を促す促進部と、を備えている。【選択図】図１
2014179679.tif 000002
【特許請求の範囲】
【請求項１】
第１機器を有した第１ユーザと、第２機器を有した第２ユーザとが行う行動を特定する特定部と、
前記第１、第２機器に記憶されている前記行動に関する履歴を取得する取得部と、
前記取得部が取得した情報に基づき、前記行動を促す促進部と、を備えることを特徴とする電子機器。
【請求項２】
前記特定部は、前記第１、第２ユーザの位置に応じて、前記行動を特定することを特徴とする請求項１記載の電子機器。
【請求項３】
前記特定部は、前記第１、第２ユーザの少なくとも一方の発言に応じて、前記行動を特定することを特徴とする請求項１記載の電子機器。
【請求項４】
前記促進部は、前記取得部が取得した情報のうち前記第１、第２ユーザに共通の情報に基づき、前記行動を促すことを特徴とする請求項１から３のいずれか一項に記載の電子機器。
【請求項５】
前記促進部は、前記行動に関する情報を提供することを特徴とする請求項１から４のいずれか一項に記載の電子機器。
【請求項６】
前記促進部は、前記行動を開始させることを特徴とする請求項１から５のいずれか一項に記載の電子機器。
【請求項７】
前記取得部は、ユーザを介した人体通信、近接通信又は無線通信により、前記履歴を取得することを特徴とする請求項１から６のいずれか一項に記載の電子機器。
【請求項８】
第１機器を有した第１ユーザと、第２機器を有した第２ユーザとが行う行動を特定し、
前記第１、第２機器に記憶されている前記行動に関する履歴を取得し、
前記取得部が取得した情報に基づき、前記行動を促す、処理をコンピュータに実行させるプログラム。
【発明の詳細な説明】
【技術分野】
【０００１】
本発明は、電子機器及びプログラムに関する。
【背景技術】
【０００２】
初対面の人と会話をするときに、お互いの共通の話題を提供するスマートフォン用のアプリケーションが知られている（例えば、非特許文献１参照）。本アプリケーションは、インターネット上における書き込み履歴から共通のキーワード（出身地、趣味、行動履歴など）を検索し、そのキーワードを共通の話題として提供するものである。
【先行技術文献】
【非特許文献】
【０００３】
【非特許文献１】［平成２５年２月２５日検索］、インターネット〈https://itunes.apple.com/jp/app/kanpaitoku!-gong-tong-hua/id463271963?l=en&mt=8〉
【発明の概要】
【発明が解決しようとする課題】
【０００４】
しかしながら、上記アプリケーションは、初対面の人たちに共通の話題を提供するだけであり、それ以外の実用的な提案はされていなかった。
【０００５】
本発明は上記の課題に鑑みてなされたものであり、複数人に対し適切な行動を促すことが可能な電子機器及びプログラムを提供することを目的とする。
【課題を解決するための手段】
【０００６】
本発明の電子機器は、第１機器（１００Ａ）を有した第１ユーザと、第２機器（１００Ｂ）を有した第２ユーザとが行う行動を特定する特定部（３０４）と、前記第１、第２機器に記憶されている前記行動に関する履歴を取得する取得部（３０２，３０４）と、前記取得部が取得した情報に基づき、前記行動を促す促進部（３０４、４００，４１０）と、を備えている。
【０００７】
この場合において、前記特定部は、前記第１、第２ユーザの位置に応じて、前記行動を特定することとしてもよいし、前記第１、第２ユーザの少なくとも一方の発言に応じて、前記行動を特定することとしてもよい。
【０００８】
本発明の電子機器では、前記促進部は、前記取得部が取得した情報のうち前記第１、第２ユーザに共通の情報に基づき、前記行動を促すこととしてもよい。また、前記促進部は、前記行動に関する情報を提供することとしてもよい。更に、前記促進部は、前記行動を開始させることとしてもよい。また、前記取得部は、ユーザを介した人体通信、近接通信又は無線通信により、前記履歴を取得することとしてもよい。
【０００９】
本発明のプログラムは、第１機器（１００Ａ）を有した第１ユーザと、第２機器（１００Ｂ）を有した第２ユーザとが行う行動を特定し（Ｓ１１４）、前記第１、第２機器に記憶されている前記行動に関する履歴を取得し（Ｓ１１６）、前記取得部が取得した情報に基づき、前記行動を促す（Ｓ１２６）、処理をコンピュータに実行させるプログラムである。
【００１０】
なお、本発明をわかりやすく説明するために、上記においては一実施形態を表す図面の符号に対応つけて説明したが、本発明は、これに限定されるものではなく、後述の実施形態の構成を適宜改良しても良く、また、少なくとも一部を他の構成物に代替させても良い。更に、その配置について特に限定のない構成要件は、実施形態で開示した配置に限らず、その機能を達成できる位置に配置することができる。
【発明の効果】
【００１１】
本発明の電子機器及びプログラムは、複数人に対し適切な行動を促すことができるという効果を奏する。
【図面の簡単な説明】
【００１２】
【図１】一実施形態に係る情報処理システムの構成を示すブロック図である。
【図２】図１の情報処理システムが用いられるカラオケボックスの状態を示す図である。
【図３】購入履歴ＤＢの一例を示す図である。
【図４】楽曲視聴履歴ＤＢの一例を示す図である。
【図５】図５（ａ）、図５（ｂ）は、行動履歴テーブルの一例を示す図である。
【図６】図６（ａ）は、マイクの制御部の処理を示すフローチャートであり、図６（ｂ）は、カラオケ装置の制御部の処理を示すフローチャートである。
【図７】カラオケ選曲履歴ＤＢの一例を示す図である。
【図８】変形例に係る情報処理システムの構成を示すブロック図（その１）である。
【図９】変形例に係る情報処理システムの構成を示すブロック図（その２）である。
【発明を実施するための形態】
【００１３】
以下、一実施形態に係る情報処理システムについて、図１〜図７に基づいて、詳細に説明する。図１には、一実施形態に係る情報処理システム１の構成がブロック図にて示されている。本情報処理システム１は、図２に示すようなカラオケボックス（カラオケルーム）５００内において複数の人が一緒に歌う楽曲を選曲するためのものである。情報処理システム１は、例えば、初対面や面識の少ない人などとカラオケに行く場合などにおいて有効利用できるものである。
【００１４】
図１に示すように、情報処理システム１は、携帯端末１００Ａ、１００Ｂ、１００Ｃ（携帯端末１００Ｃについては図２参照）と、マイク２００Ａ，２００Ｂと、カラオケ装置３００と、を備える。カラオケ装置３００には、ディスプレイ４００やスピーカ４１０が接続されている。また、カラオケ装置３００には、リモコン４２０が付属している。
【００１５】
（携帯端末１００Ａ）
携帯端末１００Ａは、ユーザ（Ａさん）により携帯された状態で利用される情報機器である。携帯端末１００Ａは、携帯電話、スマートフォン、タブレット型コンピュータ、ＰＨＳ（Personal Handy-phone System）、ＰＤＡ（Personal Digital Assistant）などを採用することができるが、本実施形態では、携帯端末１００Ａは、スマートフォンであるものとする。
【００１６】
携帯端末１００Ａは、図１に示すように、人体通信部１０１、無線通信部１０２、位置検出部１０３、記憶部１０４、表示部１０５、タッチパネル１０６、マイク１０７、スピーカ１０８、撮像部１０９、カレンダー部１１０、及び制御部１１１等を有する。
【００１７】
人体通信部１０１は、電極を有し、人体を介して例えばマイク２００Ａや２００Ｂとの間でデータのやり取りを行うものである。人体通信には、人体に微弱な電流を流して、その電流を変調して情報を伝達する電流方式や、人体の表面に誘起する電界を変調して情報を伝達する電界方式などがあり、電界方式の場合は、ユーザが電極に直接触れていなくても人体通信が可能である。このため、本実施形態では、ユーザがポケット（例えば胸ポケット）に携帯端末１００Ａを入れている場合にも人体通信が成立するように、電界方式が用いられているものとする。なお、携帯端末１００Ａを所持するユーザが女性の場合には、携帯端末１００Ａをポケットではなく、鞄（ポシェットなど）に収納する場合がある。このような場合には、人体通信に代えて近接通信（例えばBluetooth（登録商標）やＲＦＩＤ（Radio Frequency IDentification））を利用して、マイク２００との間でデータのやり取りを行うこととしてもよい。ユーザや状況に応じて、人体通信と近接通信とを使い分けることができる。
【００１８】
無線通信部１０２は、他の携帯端末との通信やネットワークへの接続を可能にするものであり、各種無線通信方式（例えば、ＷｉＦｉ、赤外線通信、近接通信など）を採用することができる。本実施形態においては、無線通信部１０２は、インターネット上においてユーザが買い物をする際に、コンテンツサーバとの情報のやり取りを行うなどする。
【００１９】
位置検出部１０３は、一例として、ＧＰＳ（Global Positioning System）モジュールであるものとする。位置検出部１０３は、携帯端末１００Ａの位置（例えば緯度および経度）を検出する。
【００２０】
記憶部１０４は、不揮発性の半導体メモリであり、制御部１１１によって実行される携帯端末１００Ａを制御するためのプログラムや、携帯端末１００Ａを制御するための各種パラメータ、ユーザの行動履歴のデータなどを記憶する。
【００２１】
例えば、記憶部１０４は、図３に示すような購入履歴ＤＢ１５０や、図４に示すような楽曲視聴履歴ＤＢ１５２などを行動履歴情報として記憶している。
【００２２】
図３の購入履歴ＤＢ１５０は、ユーザ（Ａさん）による音楽に関する商品やサービスの購入履歴を格納するデータベースであり、アーティスト名、商品、楽曲の各フィールドを有している。アーティスト名のフィールドには、商品に関連するアーティストの氏名やグループ名が格納される。商品のフィールドには、ユーザ（Ａさん）が購入した物品やサービス（ライブチケットやＣＤ、音楽配信）が格納される。楽曲のフィールドには、購入した商品やサービスにおいてユーザが視聴することができる楽曲の名称が格納される。なお、商品がライブチケットである場合には、当該ライブのセットリストが格納される。また、商品がＣＤである場合には、ＣＤに収録されている楽曲が格納される。更に、商品が音楽配信である場合には、購入した楽曲の名称が格納される。なお、購入履歴ＤＢ１５０には、カレンダー部１１０から得られる、商品の購入日時等を格納することとしてもよい。なお、購入履歴ＤＢ１５０には、お財布ケータイ機能を用いて購入された楽曲に関する商品の情報を格納することとしてもよい。
【００２３】
なお、購入履歴ＤＢ１５０に購入以外の行動履歴情報を格納するようにしてもよい。この場合、例えば、カラオケ選曲履歴や、楽曲に関するメールの送信履歴、楽曲に関するウェブサイトの閲覧履歴、ソーシャルネットワークにおける書き込みや閲覧履歴などを購入履歴ＤＢ１５０に行動履歴情報として格納することとしてもよい。
【００２４】
図４の楽曲視聴履歴ＤＢ１５２は、携帯端末１００Ａを利用したユーザ（Ａさん）による音楽の視聴履歴を格納するデータベースであり、アーティスト名、楽曲、回数の各フィールドを有している。アーティスト名及び楽曲のフィールドには、ユーザが視聴した楽曲と該楽曲を演奏するアーティストの名称が格納される。また、回数のフィールドには、ユーザが視聴した回数が記録される。なお、楽曲視聴履歴ＤＢ１５２には、カレンダー部１１０から得られる、各楽曲の最終視聴日時等を格納することとしてもよい。
【００２５】
図１に戻り、表示部１０５は、携帯端末１００Ａ本体の所定面（以下、主面と呼ぶ）に設けられ、画像、各種情報およびボタン等の操作入力用画像を表示する。表示部１０５は、一例として、例えば液晶表示素子を用いたデバイスであるものとする。
【００２６】
タッチパネル１０６は、ユーザが触れたことに応じて情報を入力する。タッチパネル１０６は、表示部１０５上または表示部１０５に組み込まれて設けられる。したがって、タッチパネル１０６は、ユーザが表示部１０５の表面をタッチすることにより、種々の情報を入力する。マイク１０７は、携帯端末１００Ａ本体の主面側であって、表示部１０５の下方に設けられ、ユーザが電話機能を使用する際に口元に位置するようになっている。スピーカ１０８は、携帯端末１００Ａ本体の主面側であって、表示部１０５の上方に設けられ、ユーザが電話機能を使用する際に耳元に位置するようになっている。
【００２７】
撮像部１０９は、表示部１０５の上方でスピーカ１０８の近傍に設けられており、ユーザが携帯端末１００Ａを保持している際（使用している際）のユーザの状況を撮像するものである。この撮像部１０９は、撮影レンズや、ＲＧＢベイヤー配列の撮像素子（ＣＣＤおよびＣＭＯＳデバイス）などから構成されている。なお、撮像部１０９は、主面の反対側の面（裏面）に設けることとしてもよい。
【００２８】
カレンダー部１１０は、年、月、日、時刻といった時間情報を取得して、制御部１１１に出力する。なお、カレンダー部１１０に計時機能を持たせて、ユーザの食事にかかる時間を計測するようにしてもよい。
【００２９】
制御部１１１は、ＣＰＵ（Central Processing Unit）、ＲＡＭ（Random Access Memory）、ＲＯＭ（Read Only Memory）等を有し、携帯端末１００Ａ全体を制御する。本実施形態においては、制御部１１１は、ユーザによる音楽に関する商品やサービスの購入履歴や、ユーザによる音楽の視聴履歴を収集し、収集した情報を、マイク２００Ａ，２００Ｂを介して、カラオケ装置３００に対して送信する処理を実行する。
【００３０】
（携帯端末１００Ｂ、１００Ｃ）
携帯端末１００Ｂは、利用するユーザがＢさんである点が携帯端末１００Ａと異なるものの、携帯端末１００Ａと同様の構成を有している。なお、図１においては、携帯端末１００Ｂの各構成に、携帯端末１００Ａの各構成と同一の符号を付している。なお、図１では、不図示であるが、図２に示すＣさんが利用する携帯端末１００Ｃも携帯端末１００Ａ，１００Ｃと同様の構成となっている。
【００３１】
（マイク２００Ａ、２００Ｂ）
マイク２００Ａ、２００Ｂは、カラオケボックス５００において利用されるマイクであり、図２の例では、カラオケボックス５００内に２本用意されているものとする。
【００３２】
マイク２００Ａ，２００Ｂは、図１に示すように、マイク機能部１１と、人体通信部１３と、制御部１４と、無線通信部１５と、を有する。なお、図２では、ユーザ（Ａさん）がマイク２００Ａを握っており、ユーザ（Ｂさん）がマイク２００Ｂを握っている。
【００３３】
マイク機能部１１は、ユーザや周辺の音声を入力する。人体通信部１３は、携帯端末１００Ａ〜１００Ｃのいずれかと、マイク２００Ａ，２００Ｂのグリップ部分に設けられた電極を用いて人体通信を行う。例えば、人体通信部１３は、携帯端末１００Ａの人体通信部１０１と通信し、記憶部１０４に記憶されている情報（ＤＢ１５０やＤＢ１５２の情報）を取得する。なお、人体通信には、人体に微弱な電流を流して、その電流を変調して情報を伝達する電流方式や、人体の表面に誘起する電界を変調して情報を伝達する電界方式などがある。本実施形態では、電流方式及び電界方式のいずれのタイプを用いることも可能である。なお、ユーザが素手である場合（すなわち、電極が手と接触している場合）はもちろん、手袋を着用している場合（すなわち、電極が手と対向している場合）でも、人体通信は可能である。なお、人体通信に代えて近接通信を用いてもよい。ユーザや状況に応じて、人体通信と近接通信とを使い分けることができる。
【００３４】
制御部１４は、ＣＰＵ、ＲＡＭ、ＲＯＭ等を有し、マイク２００全体の処理（マイク機能部１１に入力された音声データをデジタル変換し、カラオケ装置３００に送信するなどの処理）を統括的に制御するほか、携帯端末１００Ａ等から取得した情報を無線通信部１５を介してカラオケ装置３００に対して送信する処理を実行する。
【００３５】
無線通信部１５は、カラオケ装置３００の無線通信部３０２との間で通信するためのものであり、各種無線方式（例えば、ＷｉＦｉ、赤外線通信、近接通信など）を採用することができる。また、制御部１４及び無線通信部１５は、マイク２００のいずれの位置に設けられても構わないが、本実施形態では、マイク２０のグリップ部分に設けられているものとする。
【００３６】
（カラオケ装置３００）
カラオケ装置３００は、図１に示すように、無線通信部３０２と、制御部３０４と、記憶部３０６と、を有する。
【００３７】
無線通信部３０２は、他の機器（マイク２００Ａ，２００Ｂや付属するリモコン４２０）と通信を行うものであり、無線通信（例えばＷｉＦｉや赤外線通信、近接通信など）により通信を行う。
【００３８】
制御部３０４は、ＣＰＵ、ＲＡＭ、ＲＯＭ等を有し、カラオケ装置３００全体を制御する。本実施形態では、制御部３０４は、プログラムに従って、マイク２００Ａ，２００Ｂから送信されてくる情報（ユーザの購入履歴や楽曲視聴履歴の情報）を取得して、選曲処理を実行する。また、制御部３０４は、プログラムに従って、制御部３０４において選曲された楽曲や、ユーザがリモコン４２０において選曲した楽曲の音声情報をスピーカ４１０から出力し、選曲した楽曲の画像情報をディスプレイ４００から出力する。
【００３９】
記憶部３０６は、不揮発性のメモリ（フラッシュメモリなど）やハードディスクであり、各種情報を記憶する。各種情報とは、例えば、曲情報、各種プログラムやアプリケーションなどである。なお、記憶部３０６には、図５（ａ）、図５（ｂ）に示すような行動履歴テーブル１５４がユーザごとに用意されているものとする。なお、行動履歴テーブル１５４の詳細については、後述する。
【００４０】
（処理について）
以下、図６のフローチャートに沿って、情報処理システム１における処理について詳細に説明する。なお、図６（ａ）は、マイク２００Ａ、２００Ｂの制御部１４の処理を示し、図６（ｂ）は、カラオケ装置３００の制御部３０４の処理を示している。
【００４１】
図６（ａ）の処理においては、まず、ステップＳ１０において、マイク２００Ａ、２００Ｂの制御部１４は、携帯端末（１００Ａ〜１００Ｃのいずれか）との人体通信が成立するまで待機している。この場合、携帯端末（１００Ａ〜１００Ｃのいずれか）との人体通信が成立した段階、すなわち、携帯端末（１００Ａ〜１００Ｃのいずれか）を保持するユーザ（Ａ〜Ｃさんのいずれか）がマイクを握った段階で、ステップＳ１２に移行する。なお、本実施形態では、図２に示すように、Ａさんがマイク２００Ａを握り、Ｂさんがマイク２００Ｂを握ったものとする。
【００４２】
ステップＳ１２に移行すると、制御部１４は、カラオケ装置３００に対して、人体通信が成立した携帯端末の情報を送信する。上記の例の場合、マイク２００Ａの制御部１４が、携帯端末１００Ａの情報（例えば端末ＩＤ）をカラオケ装置３００に対して送信し、マイク２００Ｂの制御部１４が、携帯端末１００Ｂの情報（例えば端末ＩＤ）をカラオケ装置３００に対して送信する。
【００４３】
次いで、ステップＳ１４では、カラオケ装置３００からペアリング情報（後述する）を受信したか否かを判断する。ここでの判断が否定された場合には、ステップＳ１０に戻る。その後は、制御部１４は、ペアリング情報を受信していない間は、ステップＳ１２を所定時間間隔（数秒又は数ミリ秒間隔）で繰り返す。
【００４４】
一方、カラオケ装置３００の制御部３０４は、図６（ｂ）のステップＳ１１０において、端末情報を受信するまで待機している。したがって、制御部３０４は、図６（ａ）のステップＳ１２の処理が実行された段階で、ステップＳ１１２に移行する。ステップＳ１１２に移行すると、制御部３０４は、ほぼ同時に（例えば誤差数秒程度で）複数の端末情報を受信したか否かを判断する。ここでの判断が否定された場合には、ステップＳ１１０に戻るが、肯定された場合、すなわち、同時に複数のユーザが異なるマイクを握っているような場合（図２のような場合）には、ステップＳ１１４に移行する。
【００４５】
ステップＳ１１４に移行すると、制御部３０４は、端末情報を送信した各マイク２００Ａ，２００Ｂに対して、ペアリング情報を無線通信にて送信する。なお、ペアリング情報は、同時に握られているマイクが複数存在することを示す情報である。
【００４６】
ステップＳ１１４の処理が実行された場合、図６（ａ）のステップＳ１４の判断が肯定されるので、マイク２００Ａ，２００Ｂの制御部１４は、ステップＳ１６に移行する。そして、ステップＳ１６では、マイク２００Ａの制御部１４が、携帯端末１００Ａに対して行動履歴情報の送信を要求し、マイク２００Ｂの制御部１４が、携帯端末１００Ｂに対して行動履歴情報の送信を要求する。なお、マイク２００Ａ，２００Ｂの制御部１４は、携帯端末１００Ａ、１００Ｂに対する情報送信要求を人体通信部１３を介して送信する。そして、次のステップＳ１８では、制御部１４は、携帯端末１００Ａ又は１００Ｂから行動履歴情報を受信するまで待機する。
【００４７】
なお、携帯端末１００Ａ，１００Ｂの制御部１１１は、情報送信要求を受信すると、人体通信部１０１を介して、マイク２００Ａ，２００Ｂに対して、行動履歴情報（図３の購入履歴ＤＢ１５０と、図４の楽曲視聴履歴ＤＢ１５２）を送信する。
【００４８】
上記のように、携帯端末１００Ａ，１００Ｂの制御部１１１が行動履歴情報を送信すると、マイク２００Ａ，２００Ｂの制御部１４は、ステップＳ２０において、カラオケ装置３００に対して携帯端末１００Ａ、１００Ｂから受信した行動履歴情報を送信する。
【００４９】
以上により、マイク２００Ａ，２００Ｂの制御部１４による図６（ａ）の処理が終了する。
【００５０】
一方、図６（ｂ）の処理においては、カラオケ装置３００の制御部３０４は、ステップＳ１１４の処理以降、ステップＳ１１６において、各携帯端末１００Ａ，１００Ｂから行動履歴情報を受信するまで待機している。したがって、図６（ａ）のステップＳ２０が実行された段階で、制御部３０４は、ステップＳ１１８に移行する。
【００５１】
ステップＳ１１８に移行すると、制御部３０４は、受信した行動履歴情報から、選曲処理を実行する。例えば、制御部３０４が、携帯端末１００Ａから図３の購入履歴ＤＢ１５０と、図４の楽曲視聴履歴ＤＢ１５２を受信したとする。この場合、制御部３０４は、購入履歴ＤＢ１５０のうち、商品がライブチケットである楽曲をそのまま図５（ａ）に示す行動履歴テーブル１５４に格納するとともに、商品がＣＤや音楽配信である楽曲のうち、図４の楽曲視聴履歴ＤＢ１５２において所定回数（例えば１０回）以上視聴されている楽曲を抽出し、図５（ａ）に示す行動履歴テーブル１５４に格納する。これにより、Ａさんがライブに行くほど好きなアーティストの楽曲や、よく視聴する楽曲を行動履歴テーブル１５４に格納することができる。同様に、制御部３０４は、ユーザ（Ｂさん）の行動履歴情報（購入履歴ＤＢ１５０及び楽曲視聴履歴ＤＢ１５２）から、Ｂさんがライブに行くほど好きなアーティストの楽曲や、よく視聴する楽曲を図５（ｂ）に示す行動履歴テーブル１５４に格納する。
【００５２】
そして、制御部３０４は、ＡさんとＢさんの行動履歴テーブル１５４を比較し、共通する楽曲を抽出（選曲）する。図５（ａ）、図５（ｂ）では、制御部３０４は、たとえば、楽曲ＧＨＩ（アーティスト：Ｅ）を抽出（選曲）することができる。
【００５３】
次いで、ステップＳ１２０では、制御部３０４は、選曲された楽曲が１曲であるか否かを判断する。ここでの判断が肯定された場合には、ステップＳ１２６において、選曲された楽曲を再生する（ディスプレイ４００及びスピーカ４１０から出力する）。これにより、ＡさんとＢさんは、お互いに知っている（又は好きな）楽曲を一緒に歌うことが可能となる。
【００５４】
一方、ステップＳ１２０の判断が否定された場合、すなわち、ステップＳ１１８において複数の楽曲が選曲された場合には、ステップＳ１２２に移行し、制御部３０４は、ディスプレイ４００上に楽曲の選択画面を表示する。この場合、制御部３０４は、選曲された複数の楽曲を並べ、ユーザにリモコン４２０で選択させるような画面表示を行う。換言すれば、選択画面として、ディスプレイ４００上に選曲された複数の楽曲を一覧表示し、ユーザにリモコン４２０で歌いたい楽曲を選択させる。なお、携帯端末の表示部１０５上に複数の楽曲を表示するようにしてもよい。携帯端末の表示部１０５上に複数の楽曲が表示される場合は、携帯端末のタッチパネル１０６を用いて、ユーザに楽曲を選択させるようにしてもよい。なお、リモコン４２０に表示部がある場合は、リモコンの表示部に複数の楽曲を表示するようにしてもよい。
【００５５】
次いで、ステップＳ１２４では、制御部３０４は、ユーザによって１つの楽曲が選択されるまで待機する。そして、１つの楽曲がユーザによって選択された段階で、制御部３０４は、選択された楽曲を再生する（ディスプレイ４００及びスピーカ４１０から出力する）。これにより、ＡさんとＢさんは、お互いに知っている（又は好きな）楽曲のうち、歌いたい歌を一緒に歌うことが可能となる。以上により、図６（ｂ）の処理が終了する。
【００５６】
なお、図６（ｂ）の処理では、選曲処理（Ｓ１１８）において１曲も選曲ができなかった場合には、ディスプレイ４００上にその旨を表示し、図６（ｂ）の処理を終了するようにすればよい。
【００５７】
なお、図６（ａ）、図６（ｂ）の処理を経て、選曲され、歌われた楽曲を、制御部３０４が記憶部３０６に記憶することとしてもよい。この場合、制御部３０４は、図７に示すようなカラオケ選曲履歴ＤＢ１５６に、日時、楽曲、アーティスト名や一緒に歌った人の氏名を記憶するようにすればよい。このようにすることで、ユーザは、後日カラオケに行ったときにカラオケ選曲履歴ＤＢ１５６を参照することで、適切な選曲を行うことが可能となる。
【００５８】
以上、詳細に説明したように、本実施形態によると、制御部３０４は、携帯端末１００Ａを有したユーザ（Ａさん）と、携帯端末１００Ｂを有したユーザ（Ｂさん）とが行う行動を特定するとともに、無線通信部３０２を介して携帯端末１００Ａ、１００Ｂに記憶されている行動に関する履歴を取得する。そして、制御部３０４は、取得した情報に基づき、ディスプレイ４００やスピーカ４１０を介して行動（Ａさん、Ｂさんがお互いに知っている（又は好きな）楽曲を歌うという行動）を促す。これにより、本実施形態では、ユーザ（Ａさん、Ｂさん）に対して、行動に関する履歴に基づく適切な行動（お互いに楽しめる行動）を行わせることができる。また、ユーザ同士が初対面等の場合であっても、適切な行動を行わせることができるため、当該行動を通じて、ユーザ間におけるコミュニケーションがとりやすくなる。
【００５９】
また、本実施形態では、制御部３０４は、ユーザを介した人体通信及び無線通信により、行動履歴情報を取得するので、ユーザに操作等を行わせなくても、適切なタイミングで行動履歴情報を取得することができる。
【００６０】
なお、上記実施形態では、携帯端末１００Ａ，１００Ｂは、マイク２００Ａ，２００Ｂを介して行動履歴情報をカラオケ装置３００に送信する場合について説明したが、これに限られるものではない。例えば、カラオケ装置３００と携帯端末１００Ａ，１００Ｂの間における通信（近接通信や無線通信）が可能である場合には、携帯端末１００Ａ，１００Ｂからカラオケ装置に対して、直接、行動履歴情報を送信することとしてもよい。
【００６１】
なお、上記実施形態では、マイク２００Ａ，２００Ｂの制御部１４は、カラオケ装置３００からペアリング情報を受信した段階（Ｓ１４：肯定）で、携帯端末１００Ａ，１００Ｂに対して、行動履歴情報の送信を要求する場合について説明したが、これに限られるものではない。例えば、カラオケ装置３００と携帯端末１００Ａ，１００Ｂの間における通信（近接通信や無線通信）が可能である場合には、カラオケ装置３００から携帯端末１００Ａ，１００Ｂの制御部１１１に対してペアリング情報を送信してもよく、制御部１１１は、ペアリング情報を受信した段階で、マイク２００Ａ，２００Ｂに行動履歴情報を送信するようにしてもよい。
【００６２】
なお、上記実施形態では、携帯端末とマイクの人体通信に応じて、携帯端末１００Ａと携帯端末１００Ｂの制御部１１１は、行動履歴情報をカラオケ装置３００に送信する場合について説明したが、これに限られるものではない。例えば、携帯端末１００Ａと携帯端末１００Ｂとを互いに近づける（又は接触させる）ことで近接通信を行うこととしてもよい。この場合、近接通信に応じて、携帯端末１００Ａと携帯端末１００Ｂの制御部１１１は、行動履歴情報をカラオケ装置３００に送信（例えば無線通信、赤外線通信、近接通信など）するようにしてもよい。
【００６３】
なお、上記実施形態では、選曲処理（Ｓ１１８）において複数の楽曲が選曲された場合に、ユーザに曲を選択させる場合について説明したが、これに限られるものではない。例えば、カラオケ装置３００が予め定められている条件に基づいて、選曲された複数の楽曲から１つの楽曲を選択することとしてもよい。予め定められている条件としては、例えば、選曲された複数の楽曲のうち最新の楽曲であるという条件や、選曲された複数の楽曲のうち最も有名な曲（最も売れている曲）であるという条件などを定めることができる。
【００６４】
なお、上記実施形態では、制御部３０４が、購入履歴ＤＢ１５０と楽曲視聴履歴ＤＢ１５２に基づいて、選曲を行う場合について説明したが、これに限られるものではない。例えば、カラオケ選曲履歴や、メール内容（メールで話題にしている楽曲）や、ウェブサイトの閲覧履歴（アーティストの公式ホームページの閲覧履歴や、楽曲の検索履歴など）や、ソーシャルネットワークにおける書き込みや閲覧履歴などを用いて、選曲すべき楽曲を総合的に判断してもよい。なお、携帯端末１００Ａ，１００Ｂにおいてカラオケ選曲履歴を蓄積するためには、カラオケ装置３００の制御部３０４が、演奏している楽曲の情報を、マイク２００Ａ，２００Ｂを握っているユーザの携帯端末１００Ａ，１００Ｂに対して、直接又はマイク２００Ａ又は２００Ｂを介して送信するようにすればよい。
【００６５】
なお、上記実施形態では、ステップＳ１２２において、制御部３０４は、選択画面をディスプレイ４００上に表示する場合について説明したが、これに限られるものではない。例えば、制御部３０４は、選択画面を携帯端末１００Ａ，１００Ｂの両方又はいずれかに送信することとしてもよい。ユーザが選択画面上において１つの楽曲を選択した場合に、携帯端末からカラオケ装置３００に対して選択された楽曲の情報が送られるようにしておけば、上記実施形態と同様の処理を行うことができる。
【００６６】
なお、上記実施形態では、選曲処理（Ｓ１１８）をカラオケ装置３００の制御部３０４が実行する場合について説明したが、これに限られるものではない。例えば、携帯端末１００Ａ，１００Ｂの両方又はいずれかが選曲処理を行うこととしてもよい。この場合、携帯端末１００Ａ、１００Ｂの両方が選曲処理を行うのであれば、携帯端末１００Ａ，１００Ｂ間で、行動履歴情報を相互に送信しあう必要がある。行動履歴情報の送信においては、マイク２００Ａ，２００Ｂやカラオケ装置３００を間に介在させてもよいし、携帯端末１００Ａ，１００Ｂ間で直接（近接通信や無線通信で）行うこととしてもよい。なお、携帯端末１００Ａ、１００Ｂのいずれか一方がマスター端末として選択処理を行う場合は、マスター端末に対して他の携帯端末から行動履歴情報を送信するようにすればよい。
【００６７】
なお、上記実施形態では、制御部３０４は、ＡさんとＢさんの行動履歴テーブル１５４を比較し、共通する楽曲を抽出（選曲）したが、これに限られるものではない。例えば、ＡさんとＢさんの行動履歴テーブル１５４を比較し、共通するアーティスト名を抽出するようにしてもよい。図５（ａ）、図５（ｂ）では、制御部３０４は、たとえば、アーティスト：Ｅを抽出することができる。この場合、アーティスト：Ｅの楽曲の一覧をディスプレイ４００上（又は携帯端末の表示部１０５など）に表示し、ユーザにリモコン４２０（又は携帯端末のタッチパネル１０６）で歌いたい楽曲を選択させるようにすればよい。
【００６８】
なお、上記実施形態では、カラオケボックス５００内に２本用意されているものとしたが、これに限られるものではない。マイクの本数は１本であってもよいし、３本以上であってもよい。マイクの本数が１本の場合、マイクを持った１人のユーザの行動履歴情報に基づいて楽曲を選曲する。マイクの本数が３本以上の場合、携帯端末とマイクとカラオケ装置とは、上記実施形態と同様の動作を行い、３人以上のユーザの行動履歴情報に基づいて楽曲を選曲する。
【００６９】
なお、上記実施形態では、制御部３０４は、マイクとの間で人体通信が成立した携帯端末１００Ａ，１００Ｂから行動履歴情報を取得して、選曲を行う場合について説明したが、これに限られるものではない。例えば、制御部３０４は、同一のカラオケボックス（ルーム）５００内でカラオケをしているユーザを上記実施形態とは異なる方法で特定し、当該特定されたユーザの保有する携帯端末から行動履歴情報を取得するようにしてもよい。同一のカラオケボックス（ルーム）５００内でカラオケをしているユーザを特定する方法としては、例えば、位置検出部１０３により検出されるユーザの位置情報と、カラオケボックス（ルーム）５００の位置情報とを用いる方法を採用することができる。この場合、ユーザの位置情報とカラオケボックス５００の位置情報とから、同一のカラオケボックスの同一の部屋の中にいる（一緒にカラオケをしている）ユーザを特定し、これらのユーザが保有する携帯端末から行動履歴情報を取得するようにしてもよい。また、例えば、カラオケボックス５００の床やイスに人体通信用の電極を設けておき、同一部屋内の人体通信用の電極との間で人体通信が成立した携帯端末を保有するユーザを、一緒にカラオケをしているユーザとして特定することとしてもよい。なお、人体通信として電界方式を採用すれば、ユーザが床やイスに設けた電極に直接触れなくても（靴や靴下、ズボンやシャツなどを介して電極に触れても）人体通信は可能である。また、例えば、カラオケボックス５００の各部屋に携帯端末を検出可能な装置（ＲＦＩＤなど）を設けておき、当該装置により検出された複数の携帯端末を保有する各ユーザを、一緒にカラオケをしているユーザとして特定することとしてもよい。このように、ユーザの位置に基づいて、一緒にカラオケをしているユーザを特定することで、一緒にカラオケをしている全員の行動履歴情報に基づく選曲が可能となる。
【００７０】
なお、一緒にカラオケをするユーザの携帯端末を、ユーザの発言に基づいて特定することとしてもよい。例えば、ＡさんとＢさんが近くにいて、「カラオケにいきますか？」、「いいですね」などの会話があったことを携帯端末１００Ａ、１００Ｂのマイク１０７を介して同時に検出できたような場合に、携帯端末１００Ａ，１００Ｂを、一緒にカラオケをするユーザの携帯端末として特定することとしてもよい。
【００７１】
なお、上記実施形態では、カラオケにおいて情報処理システム１を用いた場合について説明したが、これに限られるものではない。例えば、車内での楽曲選択や、旅行の行き先選択においても、情報処理システムを用いることができる。
【００７２】
（車内での楽曲選択の場合）
車内での楽曲選択に用いる情報処理システム１’は、図８に示すように、図１からマイク２００Ａ，２００Ｂを省略するとともに、カラオケ装置３００をオーディオ装置３００’に変更している点以外は、上記実施形態の情報処理システム１と同様となっている。
【００７３】
図８の情報処理システム１’は、例えば、携帯端末１００Ａを保持するユーザ（Ａさん）と携帯端末１００Ｂを保持するユーザ（Ｂさん）が、同一の車に乗り合わせたときに、ＡさんとＢさんが共に知っている楽曲をオーディオ装置３００’において再生するためのシステムである。
【００７４】
情報処理システム１’では、ＡさんとＢさんが握手をすると、携帯端末１００Ａと携帯端末１００Ｂとの間で人体通信が開始される。人体通信に応じて、携帯端末１００Ａと携帯端末１００Ｂの制御部１１１は、記憶部１０４に格納されている行動履歴情報をオーディオ装置３００’に送信（例えば無線通信）する。そして、オーディオ装置３００’の制御部３０４は、受信した行動履歴情報に基づいて、上記実施形態と同様の選曲処理を行い、選曲された楽曲を再生するようにする。なお、人体通信に応じて、携帯端末１００Ａと携帯端末１００Ｂの制御部１１１は、行動履歴情報をオーディオ装置３００’に送信するとしたが、これに限られるものではない。例えば、携帯端末１００Ａと携帯端末１００Ｂとを互いに近づける（又は接触させる）ことで近接通信を行う。近接通信に応じて、携帯端末１００Ａと携帯端末１００Ｂの制御部１１１は、行動履歴情報をオーディオ装置３００’に送信（例えば無線通信、赤外線通信、近接通信など）するようにしてもよい。
【００７５】
このように、情報処理システム１’においても、上記実施形態と同様、ＡさんとＢさんが共に知っている楽曲を適切に選曲することができる。
【００７６】
なお、本例においても、携帯端末１００Ａ及び／又は携帯端末１００Ｂが、選曲処理を行い、選曲結果をオーディオ装置３００’に送信することとしてもよい。
【００７７】
なお、情報処理システム１’では、ＡさんとＢさんが握手をし、携帯端末１００Ａと携帯端末１００Ｂとの間で人体通信が開始されたことに応じて、携帯端末１００Ａと携帯端末１００Ｂとからオーディオ装置３００’に対して行動履歴情報が送信される場合について説明したが、これに限られるものではない。例えば、ほぼ同一の位置をほぼ同一の速度（例えば、４０ｋｍ／ｈ）で移動している複数の携帯端末を、一緒に車で移動しているユーザが保有する携帯端末として特定し、当該特定された携帯端末からオーディオ装置３００’に対して行動履歴情報を送信するようにしてもよい。あるいは、車のシートや床に人体通信用の電極を設け、該電極との間で人体通信が成立した複数の携帯端末を、一緒に車で移動しているユーザが保有する携帯端末として特定することとしてもよい。更には、車に携帯端末を検出可能な装置（ＲＦＩＤなど）を設けておき、当該装置により検出された複数の携帯端末を、一緒に車で移動しているユーザが保有する携帯端末として特定することとしてもよい。
【００７８】
なお、例えば、車のエンジン音とともに、ＡさんとＢさんの会話が携帯端末１００Ａ、１００Ｂのマイク１０７を介して同時に検出できたような場合に、携帯端末１００Ａ，１００Ｂを、一緒に車で移動しているユーザが保有する携帯端末として特定することとしてもよい。
【００７９】
（旅行の行き先選択の場合）
旅行の行き先選択に用いる情報処理システム１”は、図９に示すように、図１からマイク２００Ａ，２００Ｂを省略するとともに、カラオケ装置３００を行き先決定装置３００”に変更している以外は、上記実施形態の情報処理システム１と同様となっている。
【００８０】
図９の情報処理システム１”は、例えば、携帯端末１００Ａを保持するユーザ（Ａさん）と携帯端末１００Ｂを保持するユーザ（Ｂさん）が、旅行の行き先を決めるときに利用されるシステムである。
【００８１】
情報処理システム１”では、ＡさんとＢさんが握手をすると、携帯端末１００Ａと携帯端末１００Ｂとの間で人体通信が開始される。人体通信に応じて、携帯端末１００Ａと携帯端末１００Ｂの制御部１１１は、記憶部１０４に格納されている行動履歴情報を行き先決定装置３００”に送信（例えば無線通信、赤外線通信、近接通信など）する。そして、行き先決定装置３００”の制御部３０４は、受信した行動履歴情報に基づいて、旅行の行き先を決定する。この場合、制御部３０４は、ユーザ（ＡさんとＢさん）が過去に滞在した場所の情報（位置検出部１０３から取得可能）や、メール内容（メールで話題にしている場所の情報）や、ウェブサイトの閲覧履歴などから、ユーザが興味のある旅行先や過去に行ったことのある旅行先を判断する。制御部３０４は、判断結果に基づいて、ＡさんとＢさんがお互いに興味のある旅行先や、ＡさんとＢさんがお互い過去に行ったことのある旅行先を抽出することができる。制御部３０４は、抽出結果に基づいて、旅行の行き先を決定する。旅の行き先は、ＡさんとＢさんがお互いに興味のある旅行先や、ＡさんとＢさんがお互い過去に行ったことのある旅行先でもよい。また、ＡさんとＢさんがお互い過去に行ったことのない旅行先でもよい。なお、人体通信に応じて、携帯端末１００Ａと携帯端末１００Ｂの制御部１１１は、行動履歴情報を行き先決定装置３００”に送信するとしたが、これに限られるものではない。例えば、携帯端末１００Ａと携帯端末１００Ｂとを互いに近づける（又は接触させる）ことで近接通信を行い、近接通信に応じて、携帯端末１００Ａと携帯端末１００Ｂの制御部１１１が、行動履歴情報を行き先決定装置３００”に送信（例えば無線通信、赤外線通信、近接通信など）するようにしてもよい。
【００８２】
このように、情報処理システム１”においては、ＡさんとＢさんが共に行きたいと考えるであろう旅行の行き先を適切に選択することができる。
【００８３】
なお、本例においては、行き先決定装置３００”を省略しても良い。この場合、行き先決定装置３００”の処理を、携帯端末１００Ａ及び／又は携帯端末１００Ｂが行うこととすればよい。
【００８４】
なお、楽曲や旅行の行き先に限らず、複数人で同じ行動をとる場合（例えば、映画鑑賞や、観劇、ショッピングなど）であれば、種々の行動に対し、上記実施形態や変形例の情報処理システムを適用することができる。
【００８５】
なお、上記実施形態では、ユーザが保有する端末として、携帯端末１００Ａ、１００Ｂ，１００Ｃを採用した場合について説明したが、これに限られるものではない。例えば、ユーザが保有する端末は、上記実施形態で説明した携帯端末１００Ａの機能を設けた、メガネ、補聴器、腕時計などの人体に身につけるものであってもよい。
【００８６】
上述した実施形態は本発明の好適な実施の例である。但し、これに限定されるものではなく、本発明の要旨を逸脱しない範囲内において種々変形実施可能である。
【符号の説明】
【００８７】
１００Ａ、１００Ｂ  携帯端末
３０２  無線通信部
３０４  制御部
４００  ディスプレイ
４１０  スピーカ
【図１】
2014179679.tif 000003
【図２】
2014179679.tif 000004
【図３】
2014179679.tif 000005
【図４】
2014179679.tif 000006
【図５】
2014179679.tif 000007
【図６】
2014179679.tif 000008
【図７】
2014179679.tif 000009
【図８】
2014179679.tif 000010
【図９】
2014179679.tif 000011